(57)【特許請求の範囲】
【請求項１】
便器の後部上面に設けられるロータンクと局部洗浄ノズル等の機能部品とが１枚の下ケース上に載置されていると共に、下ケースにロータンクの底面の排水筒が嵌入される開口が設けられ、開口の周縁に密結パッキンを配置してロータンクの底面と下ケースとの隙間をシールするようにしたロータンク一体型の温水洗浄便座の水密構造において、下ケースに密結パッキンの有無を確認するための確認窓を設けたことを特徴とするロータンク一体型の温水洗浄便座の水密構造。
【請求項２】
上記密結パッキンの外部に突出片を突出させると共に、下ケースの突出片との対向位置に確認窓を設けたことを特徴とする請求項１記載のロータンク一体型の温水洗浄便座の水密構造。
【請求項３】
上記密結パッキンに、確認窓に嵌合可能なパッキン凸部を突設したことを特徴とする請求項１又は請求項２記載のロータンク一体型の温水洗浄便座の水密構造。
【請求項４】
下ケースにボスを立設し、密結パッキンにボスが嵌合するボス嵌合孔を設けたことを特徴とする請求項１乃至請求項３のいずれかに記載のロータンク一体型の温水洗浄便座の水密構造。
【請求項５】
上記ボスを下ケースの密結パッキンとのシール部以外の位置に立設したことを特徴とする請求項４記載のロータンク一体型の温水洗浄便座の水密構造。
【発明の詳細な説明】
【０００１】
【発明の属する技術分野】
本発明は、ロータンク一体型の温水洗浄便座の水密構造に関し、詳しくは水洗便器と密結する構造を有したロータンク一体型の温水洗浄便座における水密構造に関するものである。
【０００２】
【従来の技術】
一般に水洗便器と総称される商品は、ロータンク、便座、便器とが組み合わさって１つの商品形態をなしている。更に便座においては、温水洗浄機能を付加した温水洗浄便座を選択することで、より快適に用便を足すことができるため、消費者の認知度も高まり、普及率も４０％を越えるほどである。その温水洗浄便座においてはロータンク一体型が増えつつあり、ますます消費者の選択枠が広がってきている。
【０００３】
ここで、ロータンク一体型の温水洗浄便座とは、一般のロータンクと呼ばれる貯留部と局部洗浄ノズル等の機能部品とを１つの外殻ケースで覆った商品であり、一般のものとの根本的な違いはロータンク、便座、便器で１つのデザイン性をもたせた商品であることである。
【０００４】
ロータンク一体型の温水洗浄便座は、ロータンクが内蔵されることで便器との接合部の構成が通常のロータンクの構造とは異なる構造を有する。一般のロータンクは、便器との接合部に円筒状のゴムパッキンを挟み込むことで、ロータンクからの排水時に水が外部に漏れないようにしている。しかもこの部分は施工現場にてゴムパッキンを組み込む箇所のため、多少ラフに扱われていたり、あるいはロータンクの固定強度にバラツキがあってもシール性が保たれるように、そのゴムパッキンには所定の厚みと弾力性とを持たせている。
【０００５】
ところが、ロータンク一体型の温水洗浄便座１２においては、図１０に示すように、ロータンク２と便器１との間にプラットフォームと称される下ケース３が存在している。この下ケース３と上カバー１１とで、ロータンク２及び局部洗浄ノズル等の機能部品とを一体に覆うための外殻ケースが構成される。下ケース３のシール部は、図１１に示すように、２箇所（ロータンク２と下ケース３との間のシール部１０、下ケース３と便器１との間のシール部３０）となる。このうち、下ケース３と便器１との間のシール部３０は、施工現場での組み込み箇所であるため、従来からゴムパッキン２０をシール材として使用する。しかし、下ケース３とロータンク２との間は工場のライン上でシールをして出荷する箇所であり、いわば十分に管理された状態で取り付けられるため、厚みの薄い平状の密結パッキン４を使用している。図１１中の２４は締付ナットである。
【０００６】
【発明が解決しようとする課題】
ところで、商品の工場での組み立ての順序は、下ケース３（プラットフォーム）に、各部品（密結パッキン４、局部洗浄ノズル等の温水洗浄装置、ロータンク２等）を順に取り付けていくものであり、このとき、平状の密結パッキン４は一番最初に取り付けられる部品である。従来の問題点は全てが組み付けられた後で、密結パッキン４が組み込まれているかどうかの確認ができないことであった。この密結パッキン４はロータンク２の底面と下ケース３との隙間から水が漏れて機能部品側に流出するのを防止する役目があり、その存在の確認は重要である。
【０００７】
本発明は、上記の従来例の問題点に鑑みて発明したものであって、その目的とするところは、下ケースにすべての部品が組み付けられた後でも密結パッキンの有無を簡単に確認できるロータンク一体型の温水洗浄便座の水密構造を提供することにある。
【０００８】
【課題を解決するための手段】
上記課題を解決するために本発明にあっては、便器１の後部上面に設けられるロータンク２と局部洗浄ノズル等の機能部品とが１枚の下ケース３上に載置されていると共に、下ケース３にロータンク２の底面の排水筒が嵌入される開口１７が設けられ、開口１７の周縁に密結パッキン４を配置してロータンク２の底面と下ケース３との隙間をシールするようにしたロータンク一体型の温水洗浄便座の水密構造において、下ケース３に密結パッキン４の有無を確認するための確認窓５を設けたことを特徴としており、このように構成することで、下ケース３に対して各部品が組み付けられる途中（或いは後）で、下ケース３に設けた確認窓５を覗くことで密結パッキン４の存在が一目でわかるようになり、密結パッキン４の有無を簡単に確認できるようになる。
【０００９】
また上記密結パッキン４の外部に突出片６を突出させると共に、下ケース３の突出片６との対向位置に確認窓５を設けるのが好ましく、この場合、密結パッキン４の外部の突出片６に対向して確認窓５を設けることができ、これにより密結パッキン４と下ケース３とのシール部１０に確認窓５が位置しなくなるため、シール部１０の防水性が確認窓５によって損なわれることがなくなる。
【００１０】
また上記密結パッキン４に、確認窓５に嵌合可能なパッキン凸部７を突設するのが好ましく、この場合、密結パッキン４を組み込む際に、パッキン凸部７を確認窓５に嵌合させることで常に正規の位置に密結パッキン４を配置でき、密結パッキン４の位置ずれを防止できると共に、組み込み作業が容易となり、またパッキン凸部７を確認窓５に嵌合させることで確認窓５の止水性を向上させることができる。
【００１１】
また上記下ケース３にボス８を立設し、密結パッキン４にボス８が嵌合するボス嵌合孔９を設けるのが好ましく、この場合、ボス８を密結パッキン４のボス嵌合孔９に嵌合させることで、密結パッキン４の位置決め精度を向上させることができると共に、密結パッキン４の位置ずれ防止を密結パッキン４と下ケース３とのシール部１０以外の部分で行なうことができ、密結パッキン４と下ケース３とのシール性に影響を及ぼさないようにできる。
【００１２】
また上記ボス８を下ケース３の密結パッキン４とのシール部１０以外の位置に立設するのが好ましく、この場合、確認窓５の止水性を良好に保ちながら、ボス８による密結パッキン４の位置決め精度を向上させることができる。
【００１３】
【発明の実施の形態】
以下、本発明を添付図面に示す実施形態に基づいて説明する。
【００１４】
便器１の後部上面に設けられるロータンク２と局部洗浄ノズル等の機能部品（図示せず）とは、図１に示すように、１枚の下ケース３（プラットフォーム）上に載置されている。下ケース３の外周部の上にはロータンク２と機能部品とを上方から被覆する上カバー１１（図１０）が載置され、これら下ケース３と上カバー１１とでロータンク２及び機能部品とを一体に覆うための外殻ケースが構成される。なお、下ケース３の外周部には、図４、図５に示すように、上カバー１１を取り付けるためのネジ孔１５が複数設けられており、下ケース３の中央部にはロータンク２の底面から突出する洗浄弁１６を嵌め込む開口１７が設けられ、開口１７の周縁部に環状をした平状の密結パッキン４が載置され、密結パッキン４の外側の両サイドには下ケース３を便器１に対して固定するためのボルト孔１９が設けられている。また開口１７の前方領域Ａには図示省略した温水洗浄のための局部洗浄ノズル、温水タンク、乾燥ファン、電磁弁等が設置される領域Ａとなっている。なお図２中の５０は局部洗浄ノズル等の配置部、５１は温風ダクトの配置部である。
【００１５】
ここで、下ケース３のシール部は、２箇所（ロータンク２と下ケース３との間のシール部１０、下ケース３と便器１との間のシール部３０）となるが、このうち、下ケース３と便器１との間のシール部３０は、施工現場での組み込み箇所であり、図１に示すように、ゴムパッキン２０にてシールされる。また、ロータンク２の底面より突出したボルト２１を下ケース３のボルト孔１９から便器１の後部上面に設けた開孔２２に挿通して、ナット２３にて下方から締結することで、ロータンク２が下ケース３と共に便器１上に取り付けられるようになっている。なお、図１中の３１は便器１のリムに通じる排水孔、図２中の２４は洗浄弁１６の排水筒１６ａに螺着される締付ナット、３５はワッシャ等の滑りシートである。
【００１６】
一方、下ケース３とロータンク２とのシール部１０は、工場のライン上でシールをして出荷する箇所であり、いわば十分に管理された状態で取り付けられるため、厚みの薄い平状の密結パッキン４が使用される。この密結パッキン４はロータンク２の底面と下ケース３との隙間に介在され、図２の矢印で示すような排水筒１６ａから下ケース３の開口１７に浸入した水Ｗの流れを、開口１７の周辺部で堰止めて機能部品を防水する働きをする。
【００１７】
ここで、下ケース３の一部には、密結パッキン４の有無を確認するための確認窓５が設けられている。この確認窓５の位置は、図１、図２、図３に示すように、下ケース３の下方（ロータンク２側と反対側）から確認窓５を覗いたときに密結パッキン４がすぐに見えるように、密結パッキン４の真下位置に設定されている。確認窓５の数は密結パッキン４と下ケース３とのシール性を損なわないように１箇所とする。また、確認窓５の大きさも、シール性が損なわれないように密結パッキン４の幅寸法よりも小さくするのが望ましい。なお確認窓５の形状は特に限定されず、円形、角形のいずれであってもよい。
【００１８】
しかして、水洗便器と密結する構造を有するロータンク一体型の温水洗浄便座１２（図１０）を工場で生産するときに、下ケース３に対して各部品を順に取り付けていく場合において、全てが組み付けられた後で、下ケース３の下側（ロータンク２側と反対側）から確認窓５を覗くことで密結パッキン４の存在が一目でわかるようになり、密結パッキン４の有無を簡単に確認できるようになる。従って、ロータンク２の底面と下ケース３との隙間に組み込まれて機能部品を防水する重要な役目をする密結パッキン４の組み込み忘れを製造途中で簡単に確認することができるため、商品の品質の信頼性を確実に高めることができる。
【００１９】
図６は、密結パッキン４の外部に突出片６を突出させると共に、下ケース３の突出片６との対向位置に確認窓５を設けた場合の一例を示している。なお、密結パッキン４と確認窓５付き下ケース３との密結構造は図１の実施形態と同様である。本例では、突出片６を密結パッキン４の外側に向かってベロー状に突出させている。なお突出方向は、密結パッキン４の内側であってもよい。しかして、密結パッキン４の外部に確認窓５を設けることで、密結パッキン４と下ケース３とのシール部１０に確認窓５が位置しなくなり、これによりシール部１０の防水性が確認窓５によって損なわれることがなく、局部洗浄ノズル等の機能部品の水密性を一段と向上させることができる。しかも、突出片６もまた下ケース３と密着するので、下ケース３と密結パッキン４とのシール面積を増やして、水密性を更に向上させることができるという利点もある。
【００２０】
図７は、密結パッキン４に、確認窓５に嵌合可能なパッキン凸部７を突設した場合の一例を示している。なお、密結パッキン４と確認窓５付き下ケース３との密結構造は図１の実施形態と同様である。ちなみに、密結パッキン４の位置ずれがないように、密結パッキン４を組み込むときは慎重に行なう必要があり、そのため組み込み作業に手間がかかる。本例では、密結パッキン４を組み込む際に、図７（ｂ）に示すように、パッキン凸部７を確認窓５に嵌合させることで常に正規の位置に密結パッキン４を配置でき、密結パッキン４の位置ずれを防止できるので、水密性が一層向上する。しかも従来のように密結パッキン４を組み込むときに慎重に行なわなくてもよいため、組み込み作業が容易となる。また、パッキン凸部７によって確認窓５を塞ぐことにより、確認窓５からの水の浸入を防止でき、局部洗浄ノズル等の機能部品の水密性を十分に確保できると共に、パッキン凸部７が確認窓５に入り込むことで密結パッキン４の存在が一層わかりやすくなり、確認がしやすくなるという利点もある。なお、パッキン凸部７の数は１つには限られず、複数個であってもよい。その一例を図８に示す。図８では、密結パッキン４の外周部の３箇所からパッキン凸部７を突出させており、そのうち１つのパッキン凸部７を確認窓５に嵌合させるようにすれば、密結パッキン４の位置決めをより確実に行なうことができる。
【００２１】
図９は下ケース３にボス８を立設し、密結パッキン４にボス８が嵌合するボス嵌合孔９を設けた場合の一例を示している。なお、密結パッキン４と確認窓５付き下ケース３との密結構造は図１の実施形態と同様である。本例では、下ケース３に突設させたボス８を密結パッキン４に設けたボス嵌合孔９に嵌合させることで、密結パッキン４の位置決め精度を向上させるものである。ここでボス８を確認窓５以外の場所に設けることで、密結パッキン４と下ケース３とのシール性に影響を及ぼさないようにできると共に、ボス８による密結パッキン４の位置決め精度を向上させることができる。また、下ケース３からボス８を立設することで、平状の密結パッキン４からボスを突設させる場合と比較して、ボス８の強度が向上し、密結パッキン４の位置決め精度をより向上させることができる。
【００２２】
【発明の効果】
上述のように請求項１記載の発明にあっては、便器の後部上面に設けられるロータンクと局部洗浄ノズル等の機能部品とが１枚の下ケース上に載置されていると共に、下ケースにロータンクの底面の排水筒が嵌入される開口が設けられ、開口の周縁に密結パッキンを配置してロータンクの底面と下ケースとの隙間をシールするようにしたロータンク一体型の温水洗浄便座の水密構造において、下ケースに密結パッキンの有無を確認するための確認窓を設けたので、下ケースに対して各部品が組み付けられる途中（或いは後）で、下ケースに設けた確認窓を覗くことで密結パッキンの存在が一目でわかるようになり、密結パッキンの有無を簡単に確認できるようになる。従って、ロータンクの底面と下ケースとの隙間に組み込まれて機能部品を防水する重要な役目をする密結パッキンの組み込み忘れを製造途中でチェックでき、商品の品質の信頼性を確実に高めることができる。
【００２３】
また請求項２記載の発明は、請求項１記載の効果に加えて、上記密結パッキンの外部に突出片を突出させると共に、下ケースの突出片との対向位置に確認窓を設けたので、密結パッキンの外部の突出片に対向して確認窓を設けることができ、これにより密結パッキンと下ケースとのシール部に確認窓が位置しなくなるため、シール部の防水性が確認窓によって損なわれることがなく、機能部品の水密性を一段と向上させることができる。
【００２４】
また請求項３記載の発明は、請求項１又は請求項２記載の効果に加えて、上記密結パッキンに、確認窓に嵌合可能なパッキン凸部を突設したので、密結パッキンを組み込む際に、パッキン凸部を確認窓に嵌合させることで常に正規の位置に密結パッキンを配置でき、密結パッキンの位置ずれを防止できるので、水密性が一層向上する。しかも従来のように密結パッキンを組み込むときに慎重に行なわなくてもよいため、組み込み作業が容易となる。またパッキン凸部を確認窓に嵌合させることで確認窓の止水性が向上し、機能部品の水密性を十分に確保できると共に、パッキン凸部が確認窓に入り込むことで確認窓からの密結パッキンの確認が一層しやすくなる。
【００２５】
また請求項４記載の発明は、請求項１乃至請求項３のいずれかに記載の効果に加えて、下ケースにボスを立設し、密結パッキンにボスが嵌合するボス嵌合孔を設けたので、ボスを密結パッキンのボス嵌合孔に嵌合させることで、密結パッキンの位置決め精度を向上させることができると共に、密結パッキンの位置ずれ防止を密結パッキンと下ケースとのシール部以外の部分で行なうことによって、密結パッキンと下ケースとのシール性に影響を及ぼさないようにできる。また下ケースからボスを立設することで、平状の密結パッキンにボスを突設させる場合と比較して、ボスの強度が向上し、密結パッキンの位置決め精度をより向上させることができる。
【００２６】
また請求項５記載の発明は、請求項１記載の効果に加えて、上記ボスを下ケースの密結パッキンとのシール部以外の位置に立設したので、確認窓の止水性を良好に保ちながら、ボスによる密結パッキンの位置決め精度を一層向上させることができる。
【図面の簡単な説明】
【図１】本発明の一実施形態の断面図である。
【図２】同上の確認窓付近の拡大断面図である。
【図３】同上の確認窓を下方から見た場合の説明図である。
【図４】同上の下ケースの概略平面図である。
【図５】同上の下ケースの一例を示す概略平面図である。
【図６】同上の密結パッキンに突出片を設けた場合の例の説明図である。
【図７】（ａ）は同上の密結パッキンにパッキン凸部を設けた場合の例を示す斜視図、（ｂ）はパッキン凸部を下ケースの確認窓に嵌合させた状態を示す断面図である。
【図８】同上の密結パッキンに複数のパッキン凸部を設けた場合の例の説明図である。
【図９】同上の下ケースにボスを設けた場合の例を示す断面図である。
【図１０】ロータンク一体型の温水洗浄便座の斜視図である。
【図１１】従来例の説明図である。
【符号の説明】
１  便器
２  ロータンク
３  下ケース
４  密結パッキン
５  確認窓
６  突出片
７  パッキン凸部
８  ボス
９  ボス嵌合孔
１０  シール部
【図１】
0003736488.tif 000002
【図２】
0003736488.tif 000003
【図３】
0003736488.tif 000004
【図４】
0003736488.tif 000005
【図５】
0003736488.tif 000006
【図６】
0003736488.tif 000007
【図７】
0003736488.tif 000008
【図８】
0003736488.tif 000009
【図９】
0003736488.tif 000010
【図１０】
0003736488.tif 000011
【図１１】
0003736488.tif 000012